(57)【要約】【課題】  定期券とクレジットとの機能を１枚のカードに一体化しても、両機能の有効期限前に定期券が二重に存在しないようにする。【解決手段】  既存のスイカ（登録商標）定期券と非活性カードをＰＯＳ端末１３に投入すると（Ｓ１ｄ）、ＰＯＳ端末１３が２枚の定期券情報をＩＤ管理駅サーバ２１に照会し（Ｓ２ｄ）、ＩＤ管理センタサーバ２２によって確認される（Ｓ３ｄ）。ＯＫであれば、ＰＯＳ端末１３は非活性カードを活性化しスイカ（登録商標）定期券を無効にする（Ｓ４ｄ）。スイカ（登録商標）定期券中のデポジットは利用者に払い戻され、無効化されたスイカ（登録商標）定期券は回収される（Ｓ５ｄ）。活性化されたビュースイカ（登録商標）定期券はＰＯＳ端末１３から利用者へ渡される（Ｓ７ｄ）。ビュースイカ（登録商標）定期券が活性化されクレジットとして利用できる。【選択図】      図６
2005251094.tif 000002
【特許請求の範囲】
【請求項１】
定期券機能とクレジット機能とを有する定期券付きクレジットカードを発行する定期券付きクレジットカード発行システムであって、
前記クレジット機能にダミーデータを付加することにより前記定期券機能を有しない非活性カードを生成する非活性カード生成手段と、
前記クレジット機能に定期券情報データを付加することにより前記定期券機能を有する活性カードを生成する活性カード生成手段と
を備えることを特徴とする定期券付きクレジットカード発行システム。
【請求項２】
前記非活性カード生成手段及び前記活性カード生成手段は、
前記定期券付きクレジットカードを新規に発行するとき、または、前記定期券付きクレジットカードを更新するとき、
前記定期券付きクレジットカードに対応する既存の定期券の有効期限に基づいて、前記非活性カードを生成するか前記活性カードを生成するかを選択することを特徴とする請求項１に記載の定期券付きクレジットカード発行システム。
【請求項３】
前記活性カード生成手段は、
前記既存の定期券に所定期日より遅い有効期限が存在するときは、あらかじめ利用者に送付された前記非活性カードに対して前記既存の定期券の情報を転送させることによって前記活性カードを生成し、かつ、該既存の定期券の情報を消滅させることを特徴とする請求項２に記載の定期券付きクレジットカード発行システム。
【請求項４】
前記活性カード生成手段は、
前記既存の定期券に所定期日より早い有効期限が存在するとき及び有効期限が過ぎているとき、または、前記既存の定期券が存在しないときは、前記活性カードを生成して利用者に送付することを特徴とする請求項２に記載の定期券付きクレジットカード発行システム。
【請求項５】
前記定期券付きクレジットカードにおける定期券機能の有効期限前に更新後の定期券付きクレジットカードを利用者に送付する場合、
前記更新後の定期券付きクレジットカードが前記利用者に到着する前に前記定期券機能の有効期限が過ぎるときは、前記活性カード生成手段が前記活性カードを生成して利用者に送付し、
前記更新後の定期券付きクレジットカードが前記利用者に到着した後に前記定期券機能の有効期限が過ぎるときは、前記非活性カード生成手段が前記非活性カードを生成して利用者に送付する
ことを特徴とする請求項１に記載の定期券付きクレジットカード発行システム。
【請求項６】
既存の定期券が利用者の手元に存在していて、前記定期券付きクレジットカードを前記利用者に送付する場合、
前記定期券付きクレジットカードが前記利用者に到着する前に前記既存の定期券の有効期限が過ぎるときは、前記活性カード生成手段が前記活性カードを生成して利用者に送付し、
前記定期券付きクレジットカードが前記利用者に到着した後に前記既存の定期券の有効期限が過ぎるときは、前記非活性カード生成手段が前記非活性カードを生成して利用者に送付する
ことを特徴とする請求項１に記載の定期券付きクレジットカード発行システム。
【請求項７】
定期券機能とクレジット機能とを有する定期券付きクレジットカードであって、
定期券情報とクレジット情報を格納し、アンテナを介して読書装置へ非接触で前記定期券情報及び前記クレジット情報を送信する非接触ＩＣチップと、
定期券情報とクレジット情報を格納し、前記読書装置へ接触して前記定期券情報及び前記クレジット情報を送信する接触ＩＣチップと、
前記定期券情報を文字情報によって表示する定期券表示部と
を備えることを特徴とする定期券付きクレジットカード。
【請求項８】
前記非接触ＩＣチップと前記接触ＩＣチップは、それぞれ、カードの表面と裏面の重ならない位置に配置されていることを特徴とする請求項７に記載の定期券付きクレジットカード。
【請求項９】
前記活性カード生成手段は、プリペイド機能付き定期券があらかじめ発行されているときは、前記プリペイド機能付き定期券のＩＤ番号に基づいて、該プリペイド機能付き定期券の情報を転送した活性カードを生成することを特徴とする請求項１に記載の定期券付きクレジットカード発行システム。
【請求項１０】
前記活性カードが生成されて、利用者の手元に定期券付きクレジットカードとして届いた時点では、前記プリペイド機能付き定期券の定期券情報は抹消されていることを特徴とする請求項９に記載の定期券付きクレジットカード発行システム。
【請求項１１】
前記プリペイド機能付き定期券に残高情報が残っているときは、あらかじめ定めた任意の時期まで前記残高情報の決済が可能であることを特徴とする請求項１０に記載の定期券付きクレジットカード発行システム。
【請求項１２】
前記活性カード生成手段の発行した定期券付きクレジットカードが紛失されたときは、前記定期券付きクレジットカードに記録されている定期券情報を除く全ての記録情報を補償する代用証が発行されることを特徴とする請求項９乃至請求項１１の何れかに記載の定期券付きクレジットカード発行システム。
【請求項１３】
前記定期券付きクレジットカードが再発行されたことを条件として、前記代用証の補償機能が抹消されることを特徴とする請求項１２に記載の定期券付きクレジットカード発行システム。
【発明の詳細な説明】
【技術分野】
【０００１】
本発明は、定期券とクレジットカードが一体化されたＩＣカードによる定期券付きクレジットカードを発行するための定期券付きクレジットカード発行システムと、このシステムによって生成される定期券付きクレジットカードに関し、特に、鉄道機関で利用される鉄道用ＩＣカードによる定期券付きクレジットカードを発行するための定期券付きクレジットカード発行システムと定期券付きクレジットカードに関する。
【背景技術】
【０００２】
従来、クレジットカードは、会員番号等のデータが書き込まれた磁気ストライプを有するプラスチックカードを用いて発行されていた。また、より大きな記憶容量を有するＩＣ（Integrated Circuit：集積回路）チップを埋め込んだＩＣカードをクレジットカードに応用するための実用化も行われている。通常、このようなクレジットカードはクレジットの専用カードとして発行されている。また、近年では、クレジットカードの機能（以下、クレジット機能という）と交通機関の定期券や乗車券などの機能（以下、定期券機能と云う）とを一体化した定期券付きクレジットカードを発行することが可能になっている。このような定期券付きクレジットカードは、交通機関の改札口の入退場、駅における定期券の継続購入、普通乗車券・特急券などの切符の購入、あるいはストアドフェアカードへの残高のチャージ、駅内店舗での買い物などが１枚のカードでできるようになるため、利用客にとっては何種類ものカードをいちいち出し入れする必要がなくなり利便性が一段と向上する。
【０００３】
特に、近年では、鉄道会社などにおいてはリサイクル使用できるＩＣカードを用いた自動改札システムが利用され始めている。以下の説明では、このようなＩＣカードを鉄道用ＩＣカードと云うことにする。鉄道用ＩＣカードは、例えば、定期券情報と共に乗車券をプリペイドするための金額情報が書き込まれた『スイカ定期券（登録商標）』などと呼ばれ、定期券を兼ねたプリペイド型の乗車券として広く普及し始めている。このような鉄道用ＩＣカード（つまり、スイカ定期券（登録商標））を乗車券として利用する場合には、あらかじめ鉄道用ＩＣカードに所定の金額情報をチャージ（入金処理）しておけば、この鉄道用ＩＣカードを自動改札機の読取部に触れことによって鉄道用ＩＣカードにチャージされている金額情報が読み取られ、この鉄道用ＩＣカードにチャージされている金額情報から乗車料金が相殺されて行くので、プリペイド型の乗車券として極めて便利なカードである。このような鉄道用ＩＣカードに金額情報をチャージする場合は、通常、カード発売機や乗越し清算機などの読書装置に鉄道用ＩＣカードと所定の金額を投入すれば、その鉄道用ＩＣカードに所定の金額情報が書き込まれてチャージが行われる。
【０００４】
また、最近は、磁気ストライプやＩＣチップなどに顧客情報が記録されたクレジットカードを利用して鉄道用ＩＣカードへ所定の金額情報をチャージすることができる定期券付きクレジットカードも実現している。たとえば、鉄道用ＩＣカードを流通させている鉄道会社自身が発行している『ビュースイカ（登録商標）』と呼ばれるクレジットカードによって鉄道用ＩＣカードに金額情報をチャージすることができるような、クレジット機能に対応した『Ｓｕｉｃａ定期券（登録商標）』などのような定期券が一体化されたクレジットカードが広く利用され始めている。このような定期券付きクレジットカードに関する技術は、例えば、下記の特許文献１などに開示されている。
【特許文献１】特許第３４２８９５８号公報（段落番号００１４〜００３８、図１〜図７）
【発明の開示】
【発明が解決しようとする課題】
【０００５】
しかしながら、上記のような定期券付きクレジットカードを実現するには、次のような課題を解決する必要がある。第１に、定期券にクレジット機能を付加する際には、利用客の審査を行い、審査結果に基づきクレジット機能付加の可否を判定できる仕組みを構築する必要がある。また、第２に、一旦定期券にクレジット機能を付加した後にも、当該利用客の信用状況の変化に応じてクレジット機能を取り消さなければならない状況が起こる可能性があり、これを容易に実現できるシステムとする必要がある。また、第３に、従来のクレジットカードでは、５４ミリメートル（縦）×８５ミリメートル（横）程度の小さな券面に、クレジットカード会社あるいはクレジットカードブランドを表わすロゴマークを印刷し、会員番号、会員氏名、および有効期限等を示す文字をエンボス加工するとともに、磁気ストライプのための領域を確保する必要があった。一方、従来の定期券にも乗車区間や有効期間や価格や利用客の氏名、年齢、性別等が印刷表示されており、このような定期券をクレジットカードと一体化するためには、券面上の配置や印刷方法を工夫する必要がある。特に、同一のカードに関して、上記のようにクレジット機能が動的に付加されたり取り消されたりするため、これに対応した券面表示の工夫の必要がある。
【０００６】
さらに、第４には、定期券付きクレジットカードにおける定期券の有効期限とクレジットカードの有効期限の相違によって発生する定期券の二重の存在を防止するための適正な手段が存在していなかったので、定期券の書き換え処理や決済処理などが複雑になって利用者にとっては手続きがかなり面倒であった。つまり、クレジットカードの機能のみであれば、例えば、有効期限前の１ヶ月間は新旧カードが重複していても何ら問題は生じない。しかし、定期券機能とクレジット機能を持つ定期券付きクレジットカードの場合は、定期券とクレジットカードの有効期限が異なるときには、何れかの有効期限前に２枚のカードを発行すると定期券が二重に存在してしまうことがある。したがって、そのような不具合の発生を防ぐための処理がかなり複雑になっていた。そのため、結果的には、定期券付きクレジットカードの利用者にとっては、クレジットカードや定期券の有効期限の前後はかなり使い勝手の悪いものとなってしまう。
【０００７】
本発明は、以上のような問題点に鑑みてなされたものであり、定期券機能とクレジット機能とを１枚のカードに一体化しても、定期券またはクレジットの有効期限前に定期券が二重に存在することがないような定期券付きクレジットカード発行システム及び定期券付きクレジットカードを提供することを目的とする。
【課題を解決するための手段】
【０００８】
本発明は、上記の目的を達成するために創案されたものであり、第１の発明は、定期券機能とクレジット機能とを有する定期券付きクレジットカードを発行する定期券付きクレジットカード発行システムであって、クレジット機能にダミーデータを付加することにより定期券機能を有しない非活性カードを生成する非活性カード生成手段と、クレジット機能に定期券情報データを付加することにより定期券機能を有する活性カードを生成する活性カード生成手段とを備えることを特徴とする。
【０００９】
かかる構成によれば、定期券付きクレジットカードシステムが、定期券機能を有しない非活性カードを生成する非活性カード生成手段と定期券機能を有する活性カードを生成する活性カード生成手段とを備えている。したがって、利用者側における定期券のニーズに応じて、非活性カードを生成して送付したり活性カードを生成して送付したりすることができるので、利用者にとって定期券付きクレジットカードの利便性が一段と向上する。
【００１０】
また、第２の発明においては、非活性カード生成手段及び活性カード生成手段は、定期券付きクレジットカードを新規に発行するとき、または、定期券付きクレジットカードを更新するとき、その定期券付きクレジットカードに対応する既存の定期券の有効期限に基づいて、非活性カードを生成するか活性カードを生成するかを選択することを特徴とする。つまり、利用者の手元にある定期券の有効期限の状態に応じて、非活性カードを生成して送付したり活性カードを生成して送付したりすることができるので、同一内容の定期券が二重に存在することを防止することができる。
【００１１】
また、第３の発明においては、活性カード生成手段は、既存の定期券に所定期日より遅い有効期限が存在するときは、あらかじめ利用者に送付された非活性カードに対して既存の定期券の情報を転送させることによって活性カードを生成し、かつ、既存の定期券の情報を消滅させることを特徴とする。例えば、利用者が３ヶ月後までの定期券を所持しているときは、その利用者に定期券情報のない非活性カードを送付しておけば定期券が重複することはなくなる。しかも、利用者は、都合のよいときに現在所持している定期券の情報を定期券販売機などによって非活性カードに転送すれば、その非活性カードを活性カードに替えて定期券として利用することができる。このとき、今まで所持していた定期券は定期券販売機などで回収されたり定期券情報が消去されるので、定期券が二重に存在するおそれはない。
【００１２】
また、第４の発明においては、活性カード生成手段は、既存の定期券に所定期日より早い有効期限が存在するとき及び有効期限が過ぎているとき、または、既存の定期券が存在しないときは、活性カードを生成して利用者に送付することを特徴とする。例えば、利用者があと２日しか有効期限のない定期券を所持しているときは、定期券情報のある活性カードを利用者に郵送してもその活性カードが利用者の手元に届いたときには所持している定期券は有効期限が過ぎているので、定期券が二重に存在するおそれはない。当然のことながら、手持ちの定期券の有効期限が過ぎているときや既存の定期券が存在しないときは、活性カードが利用者に送付されても定期券が二重に存在するおそれはない。
【００１３】
また、第５の発明は、定期券付きクレジットカードにおける定期券機能の有効期限前に更新後の定期券付きクレジットカードを利用者に送付する場合には、更新後の定期券付きクレジットカードが利用者に到着する前に定期券機能の有効期限が過ぎるときは、活性カード生成手段が活性カードを生成して利用者に送付し、更新後の定期券付きクレジットカードが利用者に到着した後に定期券機能の有効期限が過ぎるときは、非活性カード生成手段が非活性カードを生成して利用者に送付することを特徴とする。つまり、定期券付きクレジットカードの更新を行うとき、更新後の定期券付きクレジットカードが利用者の手元に届いた時点で、更新前の定期券付きクレジットカードにおける定期券機能の有効期限が切れているときは、更新後の定期券付きクレジットカードを活性カードの状態で利用者の送付しても定期券が二重に存在するおそれはない。また、更新後の定期券付きクレジットカードが利用者の手元に届いた時点で、更新前の定期券付きクレジットカードにおける定期券機能の有効期限が切れていないときは、更新後の定期券付きクレジットカードを非活性カードの状態で利用者の送付することによって定期券の二重の存在を防止する。もちろん、利用者は、手元の定期券の情報を非活性カードに転送することによって活性カードに転換することができる。
【００１４】
また、第６の発明は、既存の定期券が利用者の手元に存在していて定期券付きクレジットカードを利用者に送付する場合には、定期券付きクレジットカードが利用者に到着する前に既存の定期券の有効期限が過ぎるときは、活性カード生成手段が活性カードを生成して利用者に送付し、定期券付きクレジットカードが利用者に到着した後に既存の定期券の有効期限が過ぎるときは、非活性カード生成手段が非活性カードを生成して利用者に送付することを特徴とする。例えば、定期券付きクレジットカードを新規発行する場合、定期券付きクレジットカードが利用者の手元に届いた時点で既存の定期券に有効期限が存在すれば、定期券付きクレジットカードを非活性カードの状態で利用者に送付し、定期券付きクレジットカードが利用者の手元に届いた時点で既存の定期券に有効期限が存在しなければ、定期券付きクレジットカードを活性カードの状態で利用者に送付するようにすれば、定期券の二重の存在を防止することができる。もちろん、利用者は、手元の定期券の情報を非活性カードに転送することによって活性カードに転換することができる。
【００１５】
また、第７の発明は、定期券機能とクレジット機能とを有する定期券付きクレジットカードであって、定期券情報とクレジット情報を格納し、アンテナを介して読書装置へ非接触で定期券情報及びクレジット情報を送信する非接触ＩＣチップと、定期券情報とクレジット情報を格納し、読書装置へ接触して定期券情報及びクレジット情報を送信する接触ＩＣチップと、定期券情報を文字情報によって表示する定期券表示部とを備えることを特徴とする。このような定期券付きクレジットカードによれば、カードを読書装置に非接触でかざしても接触させても定期券情報とクレジット情報を読み取らせることができるので、カードの利便性が一段と向上する。
【００１６】
また、第８の発明は、非接触ＩＣチップと接触ＩＣチップは、それぞれ、カードの表面と裏面の重ならない位置に配置されていることを特徴とする。このようなレイアウトにすることによってカードを平滑にすることができるので、印刷などもきれいに仕上がりカードの商品価値が一段と向上する。
【００１７】
また、第９の発明では、前記活性カード生成手段は、プリペイド機能付き定期券があらかじめ発行されているときは、そのプリペイド機能付き定期券のＩＤ番号に基づいて、そのプリペイド機能付き定期券の情報を転送した活性カードを生成することを特徴とする。このように、利用者が以前からプリペイド機能付き定期券を使用しているときは、そのプリペイド機能付き定期券のカード番号に基づいて活性カードが発行される。このとき、発行された活性カードには利用者が以前から使用しているプリペイド機能付き定期券の情報がそのまま転送されるので、利用者は、これまで使用していたプリペイド機能付き定期券の機能が引き継がれた活性カードを定期券付きクレジットカードとして使用することができる。これによって、利用者の利便性は一段と向上する。
【００１８】
また、第１０の発明は、活性カードが生成されて利用者の手元に定期券付きクレジットカードとして届いた時点では、プリペイド機能付き定期券の定期券情報は抹消されていることを特徴とする。例えば、新しく発行した定期券付きクレジットカードを利用者へ発送した日から４，５日後に、利用者の手元にあるプリペイド機能付き定期券の定期券部分の情報を抹消すれば、定期券が重複して使用されるような混乱を回避することができる。
【００１９】
また、第１１の発明は、プリペイド機能付き定期券に残高情報が残っているときは、あらかじめ定めた任意の時期まで前記残高情報の決済が可能であることを特徴とする。すなわち、利用者の手元に新しい定期券付きクレジットカードが届いた後でも、今まで使用していたプリペイド機能付き定期券のプリペイド機能は、例えば１ヶ月間程度残しておくことができる。これによって、利用者は１ヶ月の間は古いプリペイド機能付き定期券でプリペイド購入をすることができるし、必要に応じて残高を払い戻したり、古いプリペイド機能付き定期券の残高情報を新しい定期券付きクレジットカードに移し替えたりすることができる。
【００２０】
また、第１２の発明は、活性カード生成手段の発行した定期券付きクレジットカードが紛失されたときは、その定期券付きクレジットカードに記録されている定期券情報を除く全ての記録情報を補償する代用証が発行されることを特徴とする。このようにして、紛失した定期券付きクレジットカードの代用証が発行されることによって、定期券付きクレジットカードが第三者に悪用されることはなくなるし、その代用証によってレジットカード機能を実現することもできるので利用者の利便性が一段と向上する。
【００２１】
また、第１３の発明は、定期券付きクレジットカードが再発行されたときは、代用証の補償機能は抹消されることを特徴とする。このようにして、新しい定期券付きクレジットカードが再発行されたときは代用証の補償機能を抹消することによって、不要なトラブルの発生を避けることができる。
【発明の効果】
【００２２】
本発明の定期券付きクレジットカード発行システムによれば、定期券機能とクレジット機能を有する活性カードとして定期券付きクレジットカードを発行することもできるし、定期券機能を持たないでクレジット機能のみを有する非活性カードとして定期券付きクレジットカードを発行することもできる。したがって、定期券を利用する顧客に対しては活性カードの状態で定期券付きクレジットカードを発行し、定期券を利用しないでクレジットカードとして利用したい顧客に対しては非活性カードの状態で定期券付きクレジットカードを発行することができる。このように、本発明の定期券付きクレジットカード発行システムは、顧客の使用形態にマッチした定期券付きクレジットカードを発行することができるので、顧客にとってはカード使用時の利便性が一段と向上する。
【００２３】
また、既存の定期券を持っている顧客に対しては、その定期券の有効期限に応じて活性カードで送付したり非活性カードで送付したりすることができるので、定期券が二重に存在することを防止することができる。このとき、非活性カードの状態で顧客に送付しても、顧客が既存の定期券の情報をその非活性カードに転送することによって、定期券が二重に存在することなく、非活性カードを活性化して定期券付きクレジットカードとして利用することができる。さらには、定期券付きクレジットカードの新規発行や更新のときも、既存の定期券の有効期限や更新前の定期券付きクレジットカードにおける定期券機能の有効期限に応じて、非活性カードを発行するか活性カードを発行するかを選択すれば、定期券の二重の存在を防止しながら適正に定期券付きクレジットカードを発行することができる。これによって、顧客にとっても使い勝手のよい定期券付きクレジットカードを実現することができる。
【００２４】
また、顧客が以前からプリペイド機能付き定期券を使用しているときは、これまで使用していたプリペイド機能付き定期券の情報が、新しく発行された定期券付きクレジットカードに引き継がれるので、顧客の利便性は一段と向上する。このとき、新しく発行された定期券付きクレジットカードが顧客の手元に届いた時点では、これまで使用していたプリペイド機能付き定期券の定期券情報は抹消されるので、定期券が重複して使用されるような混乱を回避することができる。もちろん、今まで使用していたプリペイド機能付き定期券に残高情報が残っているときは、所定の期間はそのまま使用することもできるし、また、必要に応じて払戻しを受けることもできる。さらには、古いプリペイド機能付き定期券の残高情報を新しい定期券付きクレジットカードに移し替えたりすることができる。
【００２５】
また、顧客が定期券付きクレジットカードを紛失されたときには、その定期券付きクレジットカードに記録されている定期券情報を除く全ての記録情報を補償する代用証が発行されるので、定期券付きクレジットカードが第三者に悪用されることはなくなる。さらに、その代用証によってレジットカード機能を実現することもできるので利用者の利便性が一段と向上する。また、新しい定期券付きクレジットカードが再発行されたときは代用証の補償機能は抹消されるので不要なトラブルの発生を避けることができる。
【発明を実施するための最良の形態】
【００２６】
以下、図面を参照しながら本発明における定期券付きクレジットカード発行システムの実施の形態について詳細に説明する。なお、以下の説明では、実際の運用状態を表現するために、定期券付きクレジットカードを『ビュースイカ定期券（登録商標）』と云うことにする。但し、以降は（登録商標）という記載は省略する。また、鉄道用ＩＣカードのことをスイカ定期券と云うことにする。
【００２７】
図１は、本発明においてビュースイカ定期券を運用するための定期券付きクレジットカード発行システムの構成図である。図１において、定期券付きクレジットカードであるビュースイカ定期券の運用システムの構成は、ビュースイカ定期券の窓口取り扱いを行う駅務機器・端末１と、ビュースイカ定期券のカード発行情報を付与したりスイカ（ＩＣカード）としての情報管理を行うＩＤ管理システム２と、ビュースイカ定期券の会員管理をしたりビュースイカ定期券のカード発行を行うビューカードシステム３とを備えた構成となっている。その他、定期券情報のコンバートによるデポジット返却を行う駅収入管理システムやデータ管理を行うデータ管理ＰＣなどがあるが、この図面では省略されている。
【００２８】
駅務機器・端末１は、駅窓口でビュースイカ定期券の発行などを行うカードベンダ１１、定期券発売機１２、金銭管理を行うＰＯＳ端末１３、カード発売機やＡＬＴＴＥ（登録商標）などのようにビュースイカ定期券への入金処理が可能なチャージ可能機器１４、ＡＬＴＴＥなどのように払い戻しが可能な払戻し可能機器１５、ビュースイカ定期券の窓口取り扱いを行う端末であるマルス端末（登録商標）１６、及び窓口清算機１７などを備えた構成となっている。ＩＤ管理システム２は、ビュースイカ定期券の取り扱い駅に備えられたＩＤ管理駅サーバ２１と、各ＩＤ管理駅サーバ２１を集中的に管理するＩＤ管理センタサーバ２２とを備えた構成となっている。ビューカードシステム３は、ビュースイカ定期券の処理に関する全体的な管理を行うホスト装置３１と、ホスト装置３１へ情報を入力するための端末であるＶＣＣ業務端末３２とを備えた構成となっている。
【００２９】
次に、フロー図を用いながら、図１に示す運用システムがビュースイカ定期券を新規発行するときの処理の流れを説明する。図２は、図１のシステム構成において、ビュースイカ定期券を新規発行するときの処理の流れを示すフロー図であり、図３は図２の続きのフロー図である。つまり、図２及び図３は、利用者がビュースイカ定期券を申し込んでから、ビュースイカ定期券が発行されて利用者に郵送されるまでの処理の流れを示している。
【００３０】
図２において、まず、利用者は、必要な定期券情報を記載したビュースイカ定期券の申込書を、郵送、ＦＡＸ、またはインターネットなどによってビューカードシステム３へ送付する。なお、ビュースイカ定期券を申し込むときにスイカ定期券ホルダが必要な場合は、利用者はスイカ定期券のＩＤ番号を申込書に記入して送付する（ステップＳ１ａ）。すると、駅職員は、ビューカードシステム３のＶＣＣ業務端末３２より申込書の内容にしたがって定期券情報データの入力を行い、これらの定期券情報データをビューカードシステム３のホスト装置３１へ送信する（ステップＳ２ａ）。これによって、ビューカードシステム３のホスト装置３１は、ＩＤ番号よりビュースイカ定期券の定期券情報データを取得し、ビュースイカ定期券の申込書の情報（仮名氏名、生年月日、性別など）との照合チェックを行ってリストを出力する。このとき、エラー発生のときのその旨の情報を出力するようにしてもよい。なお、定期券情報データを設定する箇所は駅務機器・端末１のカードベンダ１１とする。
【００３１】
また、定期券情報データは、ビューカードシステム３のホスト装置３１からＩＤ管理システム２のＩＤ管理駅サーバ２１へ送信され（ステップＳ３ａ）、定期券情報データを受け取った旨の応答がＩＤ管理駅サーバ２１からビューカードシステム３のホスト装置３１へ返送される（ステップＳ４ａ）。なお、ＩＤ管理システム２の内部においては、ＩＤ管理駅サーバ２１からＩＤ管理センタサーバ２２へこれらの定期券情報データが送信され（ステップＳ５ａ）、ＩＤ管理センタサーバ２２は定期券情報データを受け取って管理している旨の確認応答をＩＤ管理駅サーバ２１へ返信する（ステップＳ６ａ）。
【００３２】
次に、ビューカードシステム３のホスト装置３１は、ビュースイカ定期券のＩＤ番号や個人情報（氏名、性別、生年月日、電話番号など）などのようなビュースイカ定期券の発行情報をＭＯに作成し、その発行情報ＭＯを駅務機器・端末１のカードベンダ１１へ送信する。これによって、駅務機器・端末１のカードベンダ１１は、ビュースイカ定期券のＩＤ番号に基づいて発行情報ＭＯより定期券情報データを取得する（ステップＳ７ａ）。
【００３３】
ここで、駅務機器・端末１のカードベンダ１１は、定期券情報データの取得時に定期券の有効期限が例えば１ヶ月以上とか２週間以上の場合及びＩＤ番号が未記入の場合は、定期券情報の部分にダミーデータを書き込んでＩＤ管理システム２のＩＤ管理駅サーバへ送信する（ステップＳ８ａ）。すると、ＩＤ管理システム２のＩＤ管理駅サーバ２１は、定期券情報の部分にダミーデータが書き込まれた情報を受け取った旨の確認応答を駅務機器・端末１のカードベンダ１１へ返信する（ステップＳ９ａ）。さらに、ＩＤ管理駅サーバ２１は、定期券情報の部分にダミーデータが書き込まれた情報をＩＤ管理センタサーバ２２へ送信する（ステップＳ１０ａ）。なお、ダミーデータや定期券情報データの有無や有効期限のチェックは図示しないデータ管理ＰＣにて行う。
【００３４】
これによって、駅務機器・端末１のカードベンダ１１は、クレジット情報やスイカ定期券情報をエンコードし、定期券情報の部分にダミーデータを書き込んだカードを活性化してビュースイカ定期券として発行する。このとき、駅務機器・端末１のカードベンダ１１は、発行したビュースイカ定期券の明細情報と定期券購入情報をＩＤ管理システム２のＩＤ管理センタサーバ２２へ送信する（ステップＳ１１ａ）。ここで、駅務機器・端末１のカードベンダ１１は、定期券情報がない場合は、売上セロ、定期券額ゼロ、及び定期券情報ダミーとしてＩＤ管理システム２のＩＤ管理センタサーバ２２へ送信する。
【００３５】
次に、図３において、駅務機器・端末１のカードベンダ１１は、会員（利用者）ごとに非活性状態または活性状態のビュースイカ定期券を郵送する（ステップＳ１２ａ）。また、会員ごとに郵送された非活性状態または活性状態のビュースイカ定期券に関する情報は、駅務機器・端末１のカードベンダ１１から紐付けＭＯによってビューカードシステム３へのホスト装置３１へ送信される（ステップＳ１３ａ）。
【００３６】
ここで、ステップＳ１２ａにおいて、非活性状態のビュースイカ定期券は、郵送された時点では定期券情報が入力されていないので定期券として使えないが、ＩＤ番号が記入されていて、定期券情報のチェックを行い、定期券情報をカードに移行して活性化すれば定期券として使用できる会員（利用者）に対して郵送される。つまり、ダミーデータが書き込まれていて非活性状態のビュースイカ定期券（非活性カード）は、クレジットカードとして使用することはできるが定期券として使用することができないので、定期券として使用するためには、非活性カードに定期券情報を取り込んで活性化する処理を行う必要である。なお、定期券情報をカードに取り込まなくてもＳＦ（ストアドフェア、つまりスイカカードに残された残高）の利用は可能である。また、非活性状態のビュースイカ定期券（非活性カード）は、定期券として使用しないでクレジットカードのみで使用する利用者に対しても郵送される。
【００３７】
一方、活性状態のビュースイカ定期券（活性カード）は、ビュースイカ定期券を定期券として利用できるように申し込んだ会員に対して送付されるものであって、あらかじめ定期券情報データが入力されていて、クレジットカードとしても定期券としても使用することができるカードである。そのため、活性状態のビュースイカ定期券（活性カード）が利用者の手元に届いた時点では、利用者の手持ちのスイカ定期券やビュースイカ定期券における定期券機能の有効期限が切れることが確実な会員に対して郵送される。
【００３８】
次に、非活性化状態のビュースイカ定期券に定期券情報を入力して活性化するための処理の流れを説明する。図４は、非活性化状態のビュースイカ定期券に定期券情報を入力して活性化するための処理の流れを示すフロー図である。まず、利用者は非活性化状態のビュースイカ定期券を駅務機器・端末１の定期券発売機１２へ投入する（ステップＳ１ｂ）。さらに、利用者は、定期券情報を定期券発売機１２へ入力するか、または手持ちの磁気定期券を定期券発売機１２へ投入する。このとき、駅務機器・端末１の定期券発売機１２は、磁気定期券が投入された場合は、磁気定期券のみについてはビュースイカ定期券への発行替えを行うために性別や年齢などの個人情報のチェックは行わないが、投入されたビュースイカ定期券についてはクレジットの有効期限の判定を行う。そして、クレジットの有効期限を越えたビュースイカ定期券に対しては定期券の発行は行わないようにする（ステップＳ２ｂ）。
【００３９】
なお、通学定期券などのように発行するのに証明書が必要な定期券は、窓口で発行した磁気定期券から発行替えを行う。さらに、定期券発売機１２でビュースイカ定期券に新規発行できる定期券の種類は現行の運用状態に合わせる。また、現行のＳＦ（ストアドフェア）の使用が不可能な定期券は、データをコンバートするときに１ビットを使ってビュースイカ定期券にＳＦ使用不可のフラグを立てる。
【００４０】
次に、現金決済を行う場合は、利用者は、ステップＳ１ｂでビュースイカ定期券を定期券発売機１２へ投入したときに決済に必要な現金を投入する（ステップＳ３ｂ）。また、ビュースイカ定期券でカード決済を行う場合は、利用者が駅務機器・端末１の定期券発売機１２で暗証番号を入力し、ビューカードシステム３のホスト装置３１に対して与信を行う（ステップＳ４ｂ）。すると、ビューカードシステム３のホスト装置３１は与信に対しての結果応答を駅務機器・端末１の定期券発売機１２へ送信する。このとき、ビューカードシステム３のホスト装置３１は与信ＯＫであれば売上計上を行う（ステップＳ５ｂ）。なお、このとき決済に使用できるカードはビュースイカ定期券のみである。
【００４１】
次に、駅務機器・端末１の定期券発売機１２は、ビューカードシステム３のホスト装置３１から与信ＯＫの応答を受け取ると、ビュースイカ定期券に対して定期券情報をエンコードし、そのビュースイカ定期券の明細情報と定期券購入情報をＩＤ管理システム２のＩＤ管理駅サーバ２１へ送信する（ステップＳ６ｂ）。さらに、ＩＤ管理駅サーバ２１は、受信したビュースイカ定期券の明細情報と定期券購入情報をＩＤ管理システム２内のＩＤ管理センタサーバ２２へ送信する（ステップＳ７ｂ）。これによって、駅務機器・端末１の定期券発売機１２は、定期券情報のエンコードされたビュースイカ定期券（つまり、活性化されたビュースイカ定期券）を利用者へ返却する。このとき、発行替えされた磁気定期券の原券は、利用者には返却せずに駅務機器・端末１の定期券発売機１２で回収される（ステップＳ８ｂ）。
【００４２】
なお、次世代定期券発売機においては、スイカ定期券及びビュースイカ定期券からのコンバート及び再発行ができるようにする。このとき、定期券の発行替えを行う場合は、性別、生年月日などの個人情報が一致した場合のみコンバート及び再発行の処理ができるようにする。また、スイカ定期券とビュースイカ定期券の双方のカードにＳＦ（ストアドフェア）残高や定期券情報がある場合は発行替えを行わないようにする。さらに、カードの有効期限後は発行替えを行わないようにする。また、通学定期券などのように発行するのに証明書が必要な定期券は駅窓口で発行するようにする。その場合、定期券がスイカ定期券であっても駅窓口で発行替えを行うようにする。
【００４３】
次に、ビュースイカ定期券を継続発行するときの処理の流れを説明する。図５は、ビュースイカ定期券を継続発行するときの処理の流れを示すフロー図である。まず、利用者はビュースイカ定期券を駅務機器・端末１の定期券発売機１２へ投入する（ステップＳ１ｃ）。さらに、利用者は、定期券情報を定期券発売機１２へ入力する。これによって、駅務機器・端末１の定期券発売機１２はクレジットの有効期限の判定を行う。このとき、定期券発売機１２は、クレジットの有効期限を越えたビュースイカ定期券に対しては継続発行を行わないようにする（ステップＳ２ｃ）。
【００４４】
さらに、現金決済を行う場合は、利用者は、ステップＳ１ｂでビュースイカ定期券を定期券発売機１２へ投入した直後に現金を投入する（ステップＳ３ｃ）。但し、決済は現金でもビューカードでも行うことができるので、ビューカードで決済を行う場合は現金を投入する必要はない。なお、決済に使用できるビューカードは自分のビュースイカ定期券のみである。
【００４５】
ビュースイカ定期券でカード決済を行う場合は、利用者が駅務機器・端末１の定期券発売機１２で暗証番号を入力し、ビューカードシステム３のホスト装置３１に対して与信を行う（ステップＳ４ｃ）。すると、ビューカードシステム３のホスト装置３１は与信に対しての確認応答を駅務機器・端末１の定期券発売機１２へ送信する。このとき、ビューカードシステム３のホスト装置は与信ＯＫであれば売上計上を行う（ステップＳ５ｃ）。なお、決済に使用できるカードは自分のビュースイカ定期券のみである。
【００４６】
ステップＳ５ｃで、駅務機器・端末１の定期券発売機１２は、ビューカードシステム３のホスト装置３１から与信ＯＫの確認応答を受け取ると、ビュースイカ定期券に対して定期券情報をエンコードし、該当するビュースイカ定期券の明細情報と定期券購入情報をＩＤ管理システム２のＩＤ管理駅サーバ２１へ送信する（ステップＳ６ｃ）。さらに、ＩＤ管理駅サーバ２１は、受信したビュースイカ定期券の明細情報と定期券購入情報をＩＤ管理システム２内のＩＤ管理センタサーバ２２へ送信する（ステップＳ７ｃ）。これによって、これによって、駅務機器・端末１の定期券発売機１２は、継続更新済みのビュースイカ定期券を利用者へ返却する（ステップＳ８ｃ）。
【００４７】
次に、手持ちのスイカ定期券から非活性状態のビュースイカ定期券へ定期券情報をコンバートしてビュースイカ定期券を活性化するときの処理の流れを説明する。図６は、既存のスイカ定期券から非活性状態のビュースイカ定期券へ定期券情報を移し替えて活性化処理を行うときの流れを示すフロー図である。つまり、この図は、ビュースイカ定期券を申し込むときに手持ちのスイカ定期券のホルダが必要な場合に行われる処理の流れを示している。まず、利用者は、スイカ定期券と非活性状態のビュースイカ定期券との２枚の定期券を持って駅窓口へ行き、駅務機器・端末１のＰＯＳ端末１３へ投入する（ステップＳ１ｄ）。すると、駅務機器・端末１のＰＯＳ端末１３は２枚の定期券情報をＩＤ管理システム２のＩＤ管理駅サーバ２１に照会し（ステップＳ２ｄ）、さらに、２枚の定期券情報はＩＤ管理駅サーバからＩＤ管理センタサーバに照会されて確認される（ステップＳ３ｄ）。
【００４８】
そして、駅係員が、駅務機器・端末１のＰＯＳ端末１３のモニタ画面によって２枚の定期券情報を比較確認し、２枚の定期券情報が正常であれば、ＰＯＳ端末１３はビュースイカ定期券の活性化処理を行う（ステップＳ４ｄ）。さらに、ビュースイカ定期券の活性化処理が終わると、駅務機器・端末１のＰＯＳ端末１３はスイカ定期券の無効化処理を行う。このとき、スイカ定期券にチャージされていたＳＦ（ストアドフェア）及びデポジットは手数料なしで利用者に払い戻される。なお、無効化されたスイカ定期券は通常は回収されるが、顧客が必要である意思を述べれば顧客に渡される（ステップＳ５ｄ）。
【００４９】
このようにして、あらかじめ記入されたＩＤ番号に基づいて定期券情報のチェックが行われ、定期券情報データが書き込まれた会員のビュースイカ定期券については、そのビュースイカ定期券に書き込まれている明細書情報及び定期券購入情報が駅務機器・端末１のＰＯＳ端末１３からＩＤ管理システム２のＩＤ管理センタサーバ２２へ送信される。このとき、定期券情報がある場合は売上金額、定期券金額、定期券情報などがＩＤ管理センタサーバ２２へ送信される（ステップＳ６ｄ）。また、活性化されて定期券情報が入力されたビュースイカ定期券は、駅務機器・端末１のＰＯＳ端末１３から利用者へ渡される（ステップＳ７ｄ）。これによって、利用者は活性化されたビュースイカ定期券をクレジット機能と定期券機能として利用することができる。
【００５０】
次に、ビュースイカ定期券に入金（チャージ）を行うときの処理の流れを説明する。図７は、ビュースイカ定期券に入金（チャージ）を行うときの処理の流れを示すフロー図である。まず、利用者は駅務機器・端末１のチャージ可能機器１４、例えば駅構内に設置されているカード発売機、定期券発売機、ＡＬＴＴＥなどへビュースイカ定期券を投入する。すると、カード発売機などのチャージ可能機器１４はビュースイカ定期券に記録されているクレジット有効期限の判定を行う（ステップＳ１ｅ）。
【００５１】
ここで、カード発売機などのチャージ可能機器１４は、クレジット有効期限の過ぎたビュースイカ定期券に対してはクレジットでのチャージ処理を行わない。但し、現金を投入した場合は、クレジットの有効期限切れ後は定期券の有効期限まではチャージ処理を行う。定期券の有効期限が切れた後は、そのビュースイカ定期券に対してはＳＦ（ストアドフェア）の利用のみができるようにする。また、ビュースイカ定期券については、クレジットの有効期限まではクレジット、現金共にチャージの取り扱いができるようにする。クレジットの有効期限が切れた後は、そのカードに残っているＳＦ（ストアドフェア）のみの利用ができるようにする。
【００５２】
次に、ステップＳ１ｅでビュースイカ定期券をチャージ可能機器１４に投入した後に現金決済を行う場合は、チャージ希望金額を選択してから所望の現金をチャージ可能機器１４に投入する（ステップＳ２ｅ）。但し、決済はビュースイカカード、現金共にできるようになっている。また、使用できるカードはビュースイカ定期券のみとする。また、ＡＬＴＴＥで決済を行う場合はクレジット決済のみを可能とする。
【００５３】
ここで、ビュースイカ定期券で決済を行う場合は、利用者は駅務機器・端末１のチャージ可能機器１４に暗証番号を入力して与信を行う。すると、その与信情報はビューカードシステム３のホスト装置３１へ送信される（ステップＳ３ｅ）。これによって、ビューカードシステム３のホスト装置３１は、与信に対しての確認応答を駅務機器・端末１のチャージ可能機器１４へ返信する。ここで、ホスト装置３１は与信ＯＫのときのみ売上計上を行う（ステップＳ４ｅ）。次に、駅務機器・端末１のチャージ可能機器１４は、ホスト装置３１からの与信ＯＫの確認果応答に基づいて、ビュースイカ定期券に対してチャージのエンコードを行う（ステップＳ５ｅ）。さらに、駅務機器・端末１のチャージ可能機器１４は、ビュースイカ定期券の明細情報をＩＤ管理システム２のＩＤ管理駅サーバ２１へ送信する（ステップＳ６ｅ）。また、ＩＤ管理システム２のＩＤ管理駅サーバ２１は受信したビュースイカ定期券の明細情報をＩＤ管理センタサーバ２２へ送信する（ステップＳ７ｅ）。一方、駅務機器・端末１のチャージ可能機器１４はチャージ処理の終了したビュースイカ定期券を利用者に返却する（ステップＳ８ｅ）。
【００５４】
次に、ビュースイカ定期券がクレジット有効期限切れになってカード更新を行うときの処理の流れを説明する。図８は、ビュースイカ定期券がクレジット有効期限切れになってカード更新を行うときの処理の流れを示すフロー図である。クレジットの有効期限はビューカードシステム３で常時監視されており、クレジットの有効期限が切れる約１ヶ月前に新しいカードが利用者に送付される。もちろん、有効期限の１ヶ月前でなくても、最低限、カードが郵送されて利用者の手元に届くまでの期間（例えば２週間）が有効期限内にあることを見込んで送付してもよい。カードを送付した以降の処理については、図２，図３のビュースイカ定期券を新規発行するときの処理のステップＳ７ａ以降の処理と同じである。
【００５５】
すなわち、ビューカードシステム３のホスト装置３１は、ビュースイカ定期券のＩＤ番号や個人情報（氏名、性別、生年月日、電話番号など）のビュースイカ定期券の発行情報をＭＯに作成し、その発行情報ＭＯを駅務機器・端末１のカードベンダ１１へ送付する。すると、駅務機器・端末１のカードベンダ１１は、ビュースイカ定期券のＩＤ番号に基づいて、受け取った発行情報ＭＯより定期券情報データを取得する（ステップＳ１ｆ）。
【００５６】
ここで、駅務機器・端末１のカードベンダは、定期券情報データの取得時に定期券の有効期限が１ヶ月以内の場合はダミーデータを書き込んで、ＩＤ管理システム２のＩＤ管理駅サーバ２１へ送信する（ステップＳ２ｆ）。すると、ＩＤ管理システム２のＩＤ管理駅サーバ２１は、定期券情報の部分にダミーデータが書き込まれた情報を受け取った旨の確認応答を駅務機器・端末１のカードベンダ１１へ返信する（ステップＳ３ｆ）。さらに、ＩＤ管理駅サーバ２１は、定期券情報の部分にダミーデータが書き込まれた情報をＩＤ管理システム２内のＩＤ管理センタサーバ２２へ送信する（ステップＳ４ｆ）。
【００５７】
これによって、駅務機器・端末１のカードベンダ１１は、クレジット情報やスイカ定期券情報をエンコードし、定期券情報の部分にダミーデータを書き込んだカードを活性化して（つまり活性カードとして）ビュースイカ定期券を発行する（ステップＳ５ｆ）。さらに、駅務機器・端末１のカードベンダ１１は、発行したビュースイカ定期券の明細情報と定期券購入情報をＩＤ管理システム２のＩＤ管理センタサーバ２２へ送信する（ステップＳ６ｆ）。ここで、駅務機器・端末１のカードベンダ１１は、定期券情報がある場合は、『売上？？』、『定期券額？？』としてＩＤ管理センタサーバ２２へ送信し、定期券情報がない場合は、『売上ゼロ』、『定期券額ゼロ』としてＩＤ管理センタサーバ２２へ送信する。
【００５８】
次に、駅務機器・端末１のカードベンダ１１は、会員ごとに非活性状態または活性状態のビュースイカ定期券を郵送する（ステップＳ７ｆ）。非活性状態のビュースイカ定期券は、定期券情報のチェックを行い、定期券情報を取得できる会員（利用者）に対して郵送される。もちろん、このカードには定期券情報は含まれていない。また、活性状態のビュースイカ定期券は、定期券情報のチェックでエラーになった会員（利用者）や定期券の不要な会員に対して郵送される。なお、定期券情報をカードに取り込まなくてもＳＦ（ストアドフェア、つまりスイカカードに残された残高）の利用は可能である。この場合は、定期券情報はないので定期券とは無関係にカードを利用することができる。さらに、会員ごとに郵送された非活性状態または活性状態のビュースイカ定期券の情報は、駅務機器・端末１のカードベンダ１１から紐付けＭＯを介してビューカードシステム３へのホスト装置３１へ送信される（ステップＳ８ｆ）。
【００５９】
次に、ビュースイカ定期券を紛失したときの処理の流れを説明する。ここで、ビュースイカ定期券を紛失した場合、再発行登録の手続きに基づいて一旦スイカ定期券を発行してから新しいビュースイカ定期券を発行する方法と、再発行登録の手続きに基づいて新しいビュースイカ定期券を直接発行する方法の二通りの方法があるが、まず、前者のスイカ定期券の発行を経由して新しいビュースイカ定期券を発行する方法について説明する。
【００６０】
図９は、ビュースイカ定期券を紛失したときに一旦スイカ定期券を発行してから新しいビュースイカ定期券が再発行されるまでの処理の流れを示すフロー図であり、図１０は図９の続きのフロー図である。つまり、図９は、ビュースイカ定期券を紛失して再発行登録を行ってからスイカ定期券が発行されるまでの処理の流れを示し、図１０は、図９で再発行されたスイカ定期券に基づいてビュースイカ定期券が発行されるまでの処理の流れを示している。
【００６１】
図９において、まず、利用者はビュースイカ定期券を紛失した旨をビューカードシステム３へ電話連絡する。このとき、ビューカードシステム３は、カードの再発行をスイカ定期券で行うのかビュースイカ定期券で行うのかを利用者に確認する。ここで、スイカ定期券で再発行を行う場合は、ビューカードシステム３のＶＣＣ業務端末３２が紛失情報を受け付ける（ステップＳ１ｇ）。そして、ＶＣＣ業務端末３２はホスト装置３１に対してビュースイカ定期券の紛失登録を行う（ステップＳ２ｇ）。ビューカードシステム３のホスト装置３１は、昼間における通信の輻輳を回避するために、ＩＤ管理システム２のＩＤ管理センタサーバ２２に対して夜間バッチ処理で再発行情報の確定を行う（ステップＳ３ｇ）。さらに、ビューカードシステム３のホスト装置３１は、ＶＣＣ業務端末３２に対してスイカ定期券の再発行登録を電文で送信する（ステップＳ４ｇ）。
【００６２】
再発行登録の電文を受け取ったＶＣＣ業務端末３２の担当者は、整理番号（例えば、旧カードのＩＤ番号１７桁）を口頭で利用者に伝える（ステップＳ５ｇ）。なお、整理番号を口頭で伝えるのではなく、電子メールやＦＡＸやＡＴＴＬなどで利用者に伝えることも可能である。次に、利用者が紛失したカードの整理番号を駅窓口の職員に伝えると、その整理番号の情報は駅務機器・端末１のマルス端末１６へ入力される（ステップＳ６ｇ）。
【００６３】
なお、スイカ定期券の再発行ができるのは、現行のスイカ定期券の再発行と同様に、再発行登録した日の翌日以降とする。また、現行ではビュースイカ定期券は翌日の再発行が出来ないために、ビュースイカ定期券の再発行が完了するまでは暫定的にスイカ定期券を利用者に使用してもらって利用者の便宜を図っている。
【００６４】
次に、ステップＳ６ｇで、整理番号の情報が駅務機器・端末１のマルス端末１６へ入力されると、マルス端末１６は、ＩＤ管理システム２のＩＤ管理センタサーバ２２に対してスイカ定期券情報及びＳＦ（ストアドフェア）残高情報の要求を行う（ステップＳ７ｇ）。すると、ＩＤ管理センタサーバ２２は、紛失したビュースイカ定期券に関するスイカ定期券情報及びＳＦ（ストアドフェア）の残高情報を駅務機器・端末１のマルス端末１６へ送信する（ステップＳ８ｇ）。これによって、駅務機器・端末１のマルス端末１６は、ビュースイカ定期券の明細情報と定期券購入情報を表示すると共に、これらの情報をＩＤ管理システム２のＩＤ管理センタサーバ２２へ返信する（ステップＳ９ｅ）。例えば、マルス端末１６は、紛失したビュースイカ定期券のデポジット料５００円、再発行手数料１，０００円、ビュースイカ定期券の再発行手数料は５００円などという情報をモニタ画面に表示し、これらの情報をＤ管理センタサーバ２２へ返信する。
【００６５】
また、駅務機器・端末１のマルス端末１６は、利用者に対してスイカ定期券を発行する（ステップＳ１０ｇ）。なお、マルス端末１６がスイカ定期券にエンコードするデータは、ＩＤ管理センタサーバ２２で保持している定期券購入情報に基づいて作成されたデータである。このとき、例えば、マルチアプリ（０）、ＳＦ用途（１）、クレジット情報（０）というようにマルス端末１６で変換される。
【００６６】
次に、図１０を用いて、図９で再発行されたスイカ定期券に基づいてビュースイカ定期券を再発行する処理の流れを説明する。まず、図９のステップＳ１１ｇにおいて、ビューカードシステム３のＶＣＣ業務端末３２がビュースイカ定期券の再発行登録を行うと、図１０において、ビューカードシステム３のホスト装置３１が、ビュースイカ定期券の発行情報ＭＯを作成して駅務機器・端末１のカードベンダ１１へ送信する（ステップＳ１２ｇ）。すると、駅務機器・端末１のカードベンダ１１は、定期券情報データの取得時に定期券の有効期限が１ヶ月以上（仮）の場合はダミーデータを書き込んでＩＤ管理システム２のＩＤ管理駅サーバ２１へ送信する。また、ＩＤ番号が未記入の場合も同様にダミーデータを書き込んでＩＤ管理駅サーバへ送信する。（ステップＳ１３ｇ）。なお、定期券情報データはＩＤ管理駅サーバ２１で管理されている最新のデータが設定される。
【００６７】
ＩＤ管理システム２のＩＤ管理駅サーバ２１は、定期券情報データにダミーデータが書き込まれた情報を受け取ると、受け取った内容の確認応答を駅務機器・端末１のカードベンダ１１へ返信する（ステップＳ１４ｇ）。さらに、ＩＤ管理駅サーバ２１は、定期券情報データにダミーデータが書き込まれたデータをＩＤ管理センタサーバ２２へ送信する（ステップＳ１５ｇ）。これによって、駅務機器・端末１のカードベンダ１１は、クレジット情報やスイカ定期券情報をエンコードし、定期券情報データにダミーデータを書き込んだカードを非活性状態のビュースイカ定期券として発行する。このとき、駅務機器・端末１のカードベンダは、発行したビュースイカ定期券の明細情報と定期券購入情報をＩＤ管理システム２のＩＤ管理センタサーバ２２へ送信する（ステップＳ１６ｇ）。ここで、駅務機器・端末１のカードベンダ１１は、定期券情報がある場合は、『売上？？』、『定期券額？？』としてＩＤ管理センタサーバ２２へ送信する。
【００６８】
次に、駅務機器・端末１のカードベンダ１１は、ステップＳ１６ｇで発行された非活性状態のビュースイカ定期券を利用者へ郵送する（ステップＳ１７ｇ）。このとき、利用者にとっては、郵送されてきたビュースイカ定期券は非活性状態にあるので活性化処理をしないとスイカ定期券として利用できないため、今回受け取った非活性状態のビュースイカ定期券と先に受け取っているスイカ定期券の２枚のカードを駅窓口に持っていって活性化処理を行う。これによって、利用者は、ビュースイカ定期券を紛失前の活性化状態で使用することができる。さらに、郵送されたビュースイカ定期券の情報は、駅務機器・端末１のカードベンダ１１から紐付けＭＯを介してビューカードシステム３へのホスト装置３１へ送信される（ステップＳ１８ｇ）。
【００６９】
次に、ビュースイカ定期券を紛失したときに、直接新しいビュースイカ定期券を発行する方法について説明する。図１１は、ビュースイカ定期券を紛失したときに直接新しいビュースイカ定期券が再発行されるまでの処理の流れを示すフロー図であり、図１２は図１１の続きのフロー図である。
【００７０】
図１１において、まず、利用者はビュースイカ定期券を紛失した旨をビューカードシステム３へ電話連絡する。このとき、ビューカードシステム３は、再発行をスイカ定期券で行うのかビュースイカ定期券で行うのかを利用者に確認する。ここで、ビュースイカ定期券で再発行を行う場合は、ビューカードシステム３のＶＣＣ業務端末３２が紛失情報を受け付け（ステップＳ１ｈ）、ＶＣＣ業務端末３２からホスト装置３１に対してビュースイカ定期券の紛失登録を行う（ステップＳ２ｈ）。ビューカードシステム３のホスト装置３１は、昼間における通信の輻輳を回避するために、ＩＤ管理システム２ＩＤ管理センタサーバ２２に対して夜間バッチ処理で再発行情報の確定を行う（ステップＳ３ｈ）。さらに、ビューカードシステム３のホスト装置３１は、ＶＣＣ業務端末３２に対してスイカ定期券の再発行登録を電文で送信する（ステップＳ４ｈ）。
【００７１】
次に、図１１のステップＳ５ｈにおいて、ビューカードシステム３のＶＣＣ業務端末がビュースイカ定期券の再発行登録を行うと、図１２に移行して、ビューカードシステム３のホスト装置３１がビュースイカ定期券の発行情報ＭＯを作成して駅務機器・端末１のカードベンダ１１へ送信する（ステップＳ６ｈ）。すると、駅務機器・端末１のカードベンダ１１は、クレジット情報及びスイカ情報をエンコードしてビュースイカ定期券を発行し、そのビュースイカ定期券に関する情報をＩＤ管理システム２のＩＤ管理駅サーバ２１へ送信する（ステップＳ７ｈ）。このとき、駅務機器・端末１のカードベンダ１１は、定期券情報及びＳＦ残高情報をＩＤ管理システム２のＩＤ管理駅サーバ２１より取得しておく（ステップＳ８ｈ）。また、ＩＤ管理駅サーバ２１は、駅務機器・端末１のカードベンダ１１から受け取ったビュースイカ定期券に関する情報をＩＤ管理センタサーバ２２へ送信する（ステップＳ９ｈ）。
【００７２】
次に、駅務機器・端末１のカードベンダ１１は、発行したビュースイカ定期券の明細情報と定期券購入情報をＩＤ管理システム２のＩＤ管理センタサーバ２２へ送信する（ステップＳ１０ｈ）。さらに、駅務機器・端末１のカードベンダ１１は、活性状態のビュースイカ定期券を発行して利用者に郵送する（ステップＳ１１ｈ）。これによって、利用者は、ビュースイカ定期券を紛失前の状態で使用することができる。さらに、利用者に郵送されたビュースイカ定期券の情報は、駅務機器・端末１のカードベンダ１１から紐付けＭＯを介してビューカードシステム３へのホスト装置３１へ送信される（ステップＳ１２ｈ）。
【００７３】
次に、ビュースイカ定期券の定期券払い戻しを行うときの処理の流れを説明する。図１３は、ビュースイカ定期券の定期券払い戻しを行うときの処理の流れを示すフロー図である。まず、利用者が駅窓口で払い戻しの申し出をすると、駅務機器・端末１のＰＯＳ端末１３によって払い戻しに関するデータが入力される（ステップＳ１ｉ）。なお、ビュースイカ定期券の払い戻しを行う場合は、定期券のみの払い戻しと、定期券及びＳＦ（ストアドフェア）の払い戻しの何れについても行うことができる。また、定期券及びＳＦ（ストアドフェア）の払い戻しは、解約を前提とした処理を行うためにビュースイカ定期券のカードは非活性化される。なお、ＳＦ（ストアドフェア）のみの払い戻しは行わないものとする。
【００７４】
次に、定期券のみの払い戻しを行う場合は、ビュースイカ定期券に対してダミーデータの定期情報がエンコードされ、その情報はＩＤ管理システム２のＩＤ管理駅サーバ２１へ送信され（ステップＳ２ｉ）、さらに、ＩＤ管理駅サーバ２１からＩＤ管理センタサーバ２２へ送信される（ステップＳ３ｉ）。このとき、定期券のみの払い戻しは、ビュースイカ定期券に定期券情報を入力すれば再び利用することが可能である。また、ビュースイカ定期券で定期券及びＳＦ（ストアドフェア）の払い戻しを行う場合は、払戻しが前提であるのでスイカ定期券としての再利用はできないようになっている。なお、この場合でも非活性のカードとしてクレジットカードでの利用は可能である。
【００７５】
また、駅務機器・端末１のＰＯＳ端末１３は、発行したビュースイカ定期券の明細情報と定期券払い戻し情報をＩＤ管理システム２のＩＤ管理センタサーバ２２へ送信する（ステップＳ４ｉ）。これによって、駅務機器・端末１は券面消去機器（図示せず）を用いてビュースイカ定期券の定期券情報の消去を行う。次に、駅務機器・端末１のマルス端末１６は、定期券の購入がクレジット購入である場合はＣＳ払い戻しを行い、ＳＦの払い戻しを行う場合は現金で払い戻しを行う。そして、このような払い戻し情報はマルス端末１６からビューカードシステム３のホスト装置３１へ送信される（ステップＳ５ｉ）。また、マルス端末１６は定期券面消去済みのビュースイカ定期券を利用者に返却する（ステップＳ６ｉ）。
【００７６】
なお、定期券の区間変更を行う場合は、マルス端末１６にて新券を磁気定期券で発売する。また、マルス端末１６でスイカ定期券を発売することも可能である。磁気定期券で発売する場合は、ＥＰＩまたは新型の定期券発売機でビュースイカ定期券にコンバートする。
【００７７】
次に、ビュースイカ定期券のＳＦ（ストアドフェア）の払い戻しを行うときの処理の流れを説明する。図１４は、ビュースイカ定期券のＳＦの払い戻しを行うときの処理の流れを示すフロー図である。まず、利用者が駅務機器・端末１の払い戻し可能機器１５、例えばＡＬＴＴＥにビュースイカ定期券を投入すると（ステップＳ１ｊ）、払い戻し可能機器（ＡＬＴＴＥ）１５はビューカードシステム３のホスト装置３１に照会してビュースイカ定期券の判定を行う。このとき、定期券情報が払い戻し済みまたは有効期限の過ぎた定期券情報の場合に払い戻しを行うような判定を行う。（ステップＳ２ｊ）。すると、ホスト装置３１はビュースイカ定期券の判定結果を駅務機器・端末１の払い戻し可能機器（ＡＬＴＴＥ）に通知する（ステップＳ３ｊ）。
【００７８】
ここで、ビュースイカ定期券は払戻し可能と判定された場合は、利用者は駅務機器・端末１の払い戻し可能機器（ＡＬＴＴＥ）１５に暗証番号を入力して与信を行う。すると、払い戻し可能機器（ＡＬＴＴＥ）１５はビュースイカ定期券に対して非活性化処理を行い、カード券面を消去する（ステップＳ４ｊ）。そして、駅務機器・端末１の払い戻し可能機器（ＡＬＴＴＥ）１５は、ビュースイカ定期券の明細情報をＩＤ管理システム２のＩＤ管理駅サーバ２１へ送信する（ステップＳ５ｊ）。さらに、ＩＤ管理駅サーバ２１はその明細情報をＩＤ管理センタサーバ２２へ送信する（ステップＳ６ｊ）。そして、駅務機器・端末１の払い戻し可能機器（ＡＬＴＴＥ）１５から利用者に対してビュースイカ定期券及びＳＦ残高が現金化されて払い戻される（ステップＳ７ｊ）。なお、ＳＦが利用者に払い戻された後は、ビューカードシステム３のＶＣＣ業務端末へ連絡して解約の手続きを行い、そのカードをＶＣＣ業務端末へ返却する。
【００７９】
次に、ビュースイカ定期券に障害が発生したときに新しいビュースイカ定期券を再発行するまでの処理の流れを説明する。ビュースイカ定期券に障害が発生した場合は、代用証の発行、スイカ定期券の発行、及び新しいビュースイカ定期券の発行という手順で処理が行われる。図１５は、ビュースイカ定期券に障害が発生してから代用証を発行するまでの処理の流れを示すフロー図である。また、図１６は、図１５に続くフロー図であり、発行された代用証に基づいてスイカ定期券を発行する処理の流れを示すフロー図である。さらに、図１７は、図１６に続くフロー図であり、新しいビュースイカ定期券を発行する処理の流れを示すフロー図である。
【００８０】
まず、図１５を用いて、ビュースイカ定期券に障害が発生したときに代用証を発行する処理の流れを説明する。利用者はビュースイカ定期券の障害情報をビューカードシステム３へ電話などで通知する。このとき、利用者はカードの再発行をスイカ定期券で行うかビュースイカ定期券で行うかを選択することができる。ここで、再発行をスイカ定期券で行う場合はその情報がビューカードシステム３のＶＣＣ業務端末３２へ入力される（ステップＳ１ｋ）。すると、ビューカードシステム３のＶＣＣ業務端末３２からホスト装置３１に対して障害登録が行われる（ステップＳ２ｋ）。なお、ビュースイカ定期券の障害には磁気の障害、ＩＣの障害、磁気及びＩＣの障害があるが、何れの場合も同一障害として取り扱う。また、クレジットカードは同一番号を発行するため、ステップＳ２ｋで障害登録を行うときにはクレジットの停止は行わない。
【００８１】
さらに、ビューカードシステム３のホスト装置３１は、昼間の通信の輻輳を回避するために、ＩＤ管理センタサーバに対して夜間バッチ処理で再発行情報の確定を行う（ステップＳ３ｋ）。さらに、ビューカードシステム３のホスト装置３１は、ＶＣＣ業務端末３２に対してスイカ定期券の再発行登録を電文で送信する（ステップＳ４ｋ）。再発行登録の電文を受け取ったＶＣＣ業務端末３２の担当者は、整理番号（すなわち、旧カードのＩＤ番号１７桁）を口頭で利用者に伝える（ステップＳ５ｋ）。なお、口頭で伝えるのではなく、ビューカードシステム３のＶＣＣ業務端末３２から電子メールやＦＡＸなどで利用者に伝えることも可能である。
【００８２】
次に、利用者が整理番号を駅窓口の職員へ伝えると、駅務機器・端末１の窓口清算機１７は、ＩＤ管理システム２のＩＤ管理センタサーバ２２に対して、ＶＣＣ業務端末３２でのスイカ定期券の再発行登録受け付け済みを確認し、ビュースイカ定期券の券面消去を行って代用証（紙）を発行する。さらに、窓口清算機１７はＩＤ管理センタサーバ２２へ代用証の発行済み登録を行う（ステップＳ６ｋ）。なお、代用証（紙）の発行はビューカードシステム３への障害連絡後になるため、ビューカードシステム３での受け付け有無の照会を窓口清算機１７で行うことができるようにすることも可能である。
【００８３】
次に、駅務機器・端末１の窓口清算機１７は、利用者に対して代用証を発行する（ステップＳ７ｋ）。ここで、代用証が複数枚発行されることを防止する機能を追加することもできる。なお、代用証の発行時に券面消去などの処理を行える場合は代用証の複数枚発行は起こらないので、代用証の複数枚発行防止機能を設ける必要はない。
【００８４】
次に、図１６を用いて、図１５で発行された代用証に基づいてスイカ定期券を発行し、さらに、新しいビュースイカ定期券の発行手続きの途中までの処理の流れを説明する。駅務機器・端末１のマルス端末１６は、図１５のステップＳ７ｋで利用者に対して代用証を発行した後、障害のあったビュースイカ定期券のデポジット料、スイカ定期券の再発行手数料、ビュースイカ定期券の再発行手数料などをＩＤ管理システム２のＩＤ管理駅サーバ２１へ問い合わせ（ステップＳ８ｋ）、ＩＤ管理駅サーバ２１からその確認応答を取得してモニタ画面に表示させる（ステップＳ９ｋ）。例えば、マルス端末１６は、障害のあったビュースイカ定期券のデポジット料５００円、再発行手数料０円、新しいビュースイカ定期券の再発行手数料０円などという情報をモニタ画面に表示する。
【００８５】
次に、駅務機器・端末１のマルス端末１６は、利用者から代用証を回収した後、スイカ定期券情報やＳＦ残高情報などをＩＤ管理システム２のＩＤ管理駅サーバ２１に要求し、ＩＤ管理駅サーバ２１から取得したスイカ定期券情報やＳＦ残高情報の記載されたスイカ定期券を発行して利用者に渡す（ステップＳ１０ｋ）。なお、利用者に対しては、障害連絡日の翌日以降にスイカ定期券の発行を行う。つまり、スイカ定期券の再発行ができるのは、現行のスイカ定期券の再発行と同様に、再発行登録した日の翌日以降とする。また、現行ではビュースイカ定期券は翌日の再発行が出来ないために、ビュースイカ定期券の再発行が完了するまでは暫定的にスイカ定期券を利用者に使用してもらう。なお、マルス端末１６がスイカ定期券にエンコードするデータは、ＩＤ管理センタサーバ２２で保持している定期券購入情報に基づいて作成されたものである。このとき、マルチアプリ（０）、ＳＦ用途（１）、クレジット情報（０）というようにマルス端末１６で変換される。
【００８６】
一方、ビューカードシステム３のＶＣＣ業務端末３２からホスト端末３１に対してビュースイカ定期券の再発行登録を行うと（ステップＳ１１ｋ）、ホスト端末３１はビュースイカ定期券の発行情報ＭＯを作成して駅務機器・端末１のカードベンダ１１へ送信する（ステップＳ１２ｋ）。すると、駅務機器・端末１のカードベンダ１１は、定期券情報、クレジット情報、スイカ情報をエンコードし、新しいビュースイカ定期券の発行処理を行う。なお、このとき設定される定期券情報はＩＤ管理システム２で管理されている最新の定期券情報である。また、このときカードベンダで発行されたビュースイカ定期券は非活性状態である。
【００８７】
駅務機器・端末１のカードベンダ１１で非活性状態のビュースイカ定期券が発行されると（ステップＳ１３ｋ）、図１７のフローに移り、駅務機器・端末１のカードベンダ１１は、非活性状態のビュースイカ定期券を利用者に郵送する（ステップＳ１４ｋ）。このとき、利用者にとっては、郵送されてきたビュースイカ定期券は活性化処理を行わないとスイカ定期券として利用できないので、今回受け取った非活性状態のビュースイカ定期券と先に受け取っているスイカ定期券の２枚のカードを駅窓口に持って行き、ビュースイカ定期券の活性化処理を行う。これによって、利用者は、ビュースイカ定期券を紛失前の状態で使用することができる。もちろん、スイカ定期券の方は回収されるか、または使用不可能な状態で利用者に戻される。さらに、郵送されたビュースイカ定期券の情報は、駅務機器・端末１のカードベンダ１１から紐付けＭＯを介してビューカードシステム３へのホスト装置３１へ送信される（ステップＳ１５ｋ）。
【００８８】
以上説明したように、本発明の定期券付きクレジットカード発行システムは、ビュースイカ定期券と称される定期券付き鉄道用ＩＣカードに定期券機能とクレジット機能を持たせて定期券付きクレジットカード（ビュースイカ定期券）を発行するシステムである。このとき、定期券とクレジットカードとで有効期限が異なる場合、定期券付きクレジットカードの新規発行時や更新時に定期券が二重に存在することを防止するために、定期券の有効期限に応じて、クレジット機能だけを持たせた非活性カードを発行したり、クレジット機能に定期券機能を付加した活性カードを発行したりしている。
【００８９】
つまり、クレジットカードの申し込みによって所定の事務的な処理を経ればクレジットカードは発行されるが、このクレジットカードに定期券情報がない場合や、所定期間より既存の定期券の有効期間が長い場合は、クレジットカードの発行時に定期券情報を載せないで、定期券情報の部分はダミーデータを書き込んで非活性状態（クレジットとしては使えるが定期券としては使えない状態）の非活性カードとして利用者に郵送する。一方、既存の定期券の有効期限が所定期間以内の場合（例えば、最小限郵送に必要な期間とか、余裕を持って２週間程度の短い期間の場合）には、クレジットカードの発行時に定期券情報を書き込んで活性状態（クレジットカードと共に定期券を有効に使える状態）の活性カードを発行して利用者に郵送する。これによって、定期券とクレジットの有効期限が異なっていても、定期券付きクレジットカードの新規発行時や更新時に定期券が二重に存在することを防止することができる。
【００９０】
通常のクレジットカードでは、有効期限の約１月前に新カードが送られてきた場合、その１月間は有効なクレジットカードが重複して存在することになっても問題は発生しない。しかし、クレジットカードに定期券機能を持つ場合（つまり、定期券付きクレジットカードの場合）は、定期券付きクレジットカードにおける定期券機能の重複期間を避けねばならないので、定期券機能の有効期限に応じて活性カードと非活性カードとに分ける必要がある。この場合、活性・非活性の弁別は、定期券付きクレジットカードのＩＣチップで１ビットを使ってフラグを立てればよい。また、定期券付きクレジットカード自体に活性・非活性を意味するフラグを設けてもよいし、ホスト装置側の当該シリアルナンバーのカードのところに活性・非活性を意味するフラグを設けてもよい。
【００９１】
また、非活性カードに定期券情報を入力して活性化カードにする処理は、手持ちの磁気定期券を使って定期券情報のデータを非活性カードへ転送したり、駅務機器のキー操作によって定期券情報を非活性カードに入力することによって実現することができる。さらに、代金の決済はクレジットカードによっても現金によっても行うことができる。また、定期券付きクレジットカードにおいて定期券機能の更新を行う場合は、定期券情報の入ったカード（既存の定期券とか使用中の定期券付きクレジットカード）を駅構内の定期券発売機などに投入して新たな定期券情報の入力及び決済を経れば、新たな定期券情報が更新後の定期券付きクレジットカードに書き込まれて返却される。この場合、既存の定期券や使用中の定期券付きクレジットカードは定期券発売機などによって回収されるか、定期券情報が消去されて利用者に返却される。
【００９２】
さらに、非活性カードの活性化処理は、郵送された非活性カードと手持ちの定期券との２枚のカードを駅構内の定期券発売機などに投入すれば、既存の定期券のデータが非活性化カードに書き込まれる。このとき、既存の定期券を無効化して非活性カードに定期券機能が付加されて活性化される。なお、既存の定期券がスイカ定期券の場合は、その発行に際してデボジット（補償金）を鉄道会社側が預かっているのでそのデポジットは返却される。また、ＳＦ（ストアドフェアつまりスイカに残されたブリペイド残高）は、現金で返却するか、あるいは、相当する金額を定期券付きクレジットカードに転送してチャージすることができる。なお、スイカ定期は定期券発売機などに取り込まれ、定期券付きクレジットカードは顧客に返却される。
【００９３】
また、入金（チャージ）処理は、定期券付きクレジットカードにブリペイド乗車券の金額を書き込む処理によって行われる。この場合の処理は現金でもよいしブリペイド金額をカード決済してもよい。なお、定期券付きクレジットカードの更新は、新規申し込みの場合の申し込みがなくても、新たな更新カードが定期券情報の残存期間に応じて活性状態または非活性状態で送られる。さらに、定期券付きクレジットカードを紛失した場合は、定期券付き定期券付きクレジットカードの再発行に時間がかかるので、定期券だけの機能を有したスイカ定期券が暫定的に発行される。このとき、その後に定期券付きクレジットカードが再発行された場合は、その定期券付きクレジットカードは先に発行したスイカ定期券との重複を避けるために非活性カードとなる。したがって、スイカ定期券のデータをこの非活性カードに転送して初めて活性化された定期券付きクレジットカードとなる。
【００９４】
さらに、定期券付きクレジットカードの払い戻しは、定期券であってもＳＦ（プリペイド）であっても、クレジット決済に関わる部分はクレジット決済（つまり、カード上の払い戻し処理）とし、現金決済に関わる部分は現金決済（現金払い戻し）とする。また、定期券付きクレジットカードの障害に際しては代用証を発行してユーザの利便性を図ることができる。
【００９５】
次に、この定期券付きクレジットカード発行システムに適用される定期券付きクレジットカードの構造について説明する。図１８は、本発明の定期券付きクレジットカード発行システムに適用されるビュースイカ定期券の外観図であり、（ａ）は裏面図、（ｂ）は表面図、（ｃ）は裏面の透視図である。
【００９６】
図１８において、ビュースイカ定期券の表面（ｂ）には、カード会社のロゴマークやカード所有者のＩＤ番号などが印刷されていると共に、定期券情報とクレジット情報を格納し、図示しない読書装置へ接触して定期券情報及びクレジット情報を送信する接触ＩＣチップ４１が搭載されている。また、裏面（ａ）には、定期券情報が文字情報で印刷されている。さらに、裏面の透視部分（ｃ）には、帯状の磁気ストライプ４２、アンテナ４３、及び定期券情報とクレジット情報を格納し、アンテナ４３を介して図示しない読書装置へ非接触で定期券情報及びクレジット情報を送信する非接触ＩＣチップ４４が搭載されている。このようなビュースイカ定期券によれば、読書装置へ非接触でかざしても接触させても定期券情報及びクレジット情報を読書装置へ送信することができる。
【００９７】
また、磁気ストライプ４２は図のようなレイアウトで帯状に配置され、不正製造を防止するためにその位置が変更できないようになっている。さらに、表面側の接触ＩＣチップ４１と裏面側の非接触ＩＣチップ４４は位置がずれているので、ビュースイカ定期券の表面及び裏面を平滑にすることができるので文字の印字などをきれいに仕上げることができる。また、磁気ストライプ４２の配置の固定化、及び接触ＩＣチップ４１の裏面と非接触ＩＣチップ４４の表面との平滑性を確保して定期券情報の印刷仕上がりを良好にするために、図１８（ａ）のように、カード裏面の左側に定期券情報の印刷を施している。
【００９８】
つまり、接触ＩＣチップ４１、磁気ストライプ４２、アンテナ４３、非接触ＩＣチップ４４、及び金属面に繰り返し印字できるタイプの印字部分などのレイアウトを図１８のように行うことによって、不正防止、カードの仕上がり向上、カード表面の滑らかさなどを配慮した商品価値の高いビュースイカ定期券を実現することができる。
【００９９】
なお、ビュースイカ定期券の新規発行方法及び再発行方法は上記の実施の形態に限定されるものではない。以下、ビュースイカ定期券の新規発行方法及び再発行方法の変形例について説明する。図１９は、図１に示すシステム構成において、利用者がスイカ定期券を所持しているときにビュースイカ定期券を新規発行する処理の流れを示すフローチャートである。つまり、図１９は、スイカ定期券を所持している会員（スイカ定期券ホルダ向け）のビュースイカ定期券の新規発行の流れを示すフローチャートである。
【０１００】
まず、図１９を用いて、ビュースイカ定期券の新規発行の流れを説明する。まず、利用者は、手持ちのスイカ定期券に基づいて必要な定期券情報を記載したビュースイカ定期券の申込書を、郵送、ＦＡＸ、またはインターネットなどによってカード事業部へ送付する。このとき、ビュースイカ定期券を申し込むときにスイカ定期券ホルダが必要な場合は、利用者は所持しているスイカ定期券のＩＤ番号を申込書に記入して送付する（ステップＳ１ｍ）。すると、カード事業部の担当者は、ＩＤ管理センタサーバ２２に対して申込書に記入されているＩＤ番号などのスイカ情報の照会を行う。つまり、カード事業部の担当者は、ＩＤ管理センタサーバ２２へＩＤ番号や定期券の内容を照会し、本人のスイカ定期券に間違いないか否かの確認を行う（ステップＳ２ｍ）。
【０１０１】
そして、カード事業部は、ＩＤ管理センタサーバ２２から利用者の所持するスイカ定期券情報を取得し、本人のスイカ定期券に間違いないことが確認されたら、そのスイカ定期券の情報を新規のカードにセットする。このとき、利用者が所持しているスイカ定期券の定期券部分の払戻しはできないようにする（ステップＳ３ｍ）。
【０１０２】
次に、このようにして発行された新規のカードが宅配便などによって利用者に配達されると、利用者はこのカードをビュースイカ定期券として使用を開始することができる。但し、このときのＳＦ（プリペイド）は０円であるので定期券としての使用のみに限定される。プリペイドカードとして使用する場合は、取得したビュースイカ定期券に所定の金額をチャージする必要がある。なお、このとき取得したビュースイカ定期券は、定期券部分の払戻しを不可とする情報をＩＤ管理センタサーバ２２に登録しておく（ステップＳ４ｍ）。
【０１０３】
また、カード事業部は、利用者へのカード配達完了のデータに基づいて、カードが配達された日の数日後に利用者が所持しているスイカ定期券を使用不可とするデータをＩＤ管理センタサーバ２２へ送信する。但し、利用者が所持しているスイカ定期券のＳＦ（プリペイド）やデポジットの払戻しはできるようにしておく。なお、ビュースイカ定期券の発行後に、駅窓口の端末画面でスイカ定期券の定期券部分の払い戻しを行う「ビュースイカ定期券発行替え中」という処理を付加することも可能である。
【０１０４】
次に、利用者は駅窓口において手持ちのスイカ定期券のＳＦ残高とデポジットの払戻しを行う。このとき、利用者は新たに発行されたビュースイカ定期券を駅窓口に提示すれば、ＰＯＳ端末でスイカ定期券のＳＦ残高とデポジットを手数料なしで払戻しを受けることができる（ステップＳ５ｍ）。
【０１０５】
つまり、スイカ定期券を所持している会員の場合は、カード事業部がそのスイカ定期券のカード番号（ＩＤ番号）に基づいてスイカ定期券の定期情報を取得し、その定期券情報をセットして印字を行った新しいビュースイカ定期券を利用者に発送する。これによって、利用者はビュースイカ定期券の到着後は定期券として使用することができる。しかし、そのビュースイカ定期券のチャージ残額やデポジットは０円であるので、その時点では定期券としての使用に限定される。
【０１０６】
次に、利用者はビュースイカ定期券を受け取った後に、駅窓口へ行ってビュースイカ定期券とスイカ定期券を提示し、スイカ定期券のチャージ残額及びデポジットの払戻しを行う。このとき、スイカ定期券は駅窓口で回収される。もちろん、スイカ定期券の定期券部分はビュースイカ定期券の発行後は自動的に払戻不可となる。また、一定期間が経過した後にスイカ定期券のチャージ及びデポジットの払戻しが行われないようにする場合は、自動的にスイカ定期券を使用できないようにする。
【０１０７】
次に、ビュースイカ定期券の再発行方法の変形例について説明する。図２０は、図１に示すシステム構成において、ビュースイカ定期券を再発行するときの一変形例のフローチャートである。図２０において、利用者がビュースイカ定期券を紛失した場合は、まず、カード事業部に対して紛失再発行の申し出を行う（ステップＳ１ｎ）。すると、カード事業部は、ＩＤ管理センタサーバ２２に対して、該当するビュースイカ定期券のクレジット及びスイカ定期券の使用停止の依頼を行うと共に、ビュースイカ定期券の再発行登録を行う。さらに、カード事業部は、利用者に対して、整理番号などの情報を伝達すると共に駅窓口でビュースイカ定期券の代用証の交付を受けるように案内する（ステップＳ２ｎ）。
【０１０８】
次に、利用者はカード事業部から整理番号を受け取り（ステップＳ３ｎ）、駅窓口にその整理番号を伝えて代用証の発行を申し出る（ステップＳ４ｎ）。すると、駅窓口は、利用者が記入した申込書の内容にしたがって本人確認を行い、整理番号または申込書の個人情報を窓口清算機またはマルス端末へ入力して「再発行準備中」の状態を確認する。なお、利用者の整理番号または申込書の個人情報の確認は、カード事業部に対して行ってもよい。このような入力操作を行うことによって、駅窓口は窓口清算機またはマルス端末の画面で確認しながら非磁気カード（例えば、紙）による代用証を発行し、代用証発行済みの情報を窓口清算機またはマルス端末に登録する。なお、整理番号や申込書の個人情報の確認、及び代用証発行済みの通知はカード事業部に電話連絡してもよい。このようにして発行された代用証は利用者に交付される（ステップＳ５ｎ）。
【０１０９】
一方、ステップＳ２ｎで利用者が再発行登録を申し込んだビュースイカ定期券に関しては、１週間から１０日程度で紛失カードの定期券情報とＳＦ残高がセットされて新カードが再発行され、紛失した利用者のもとへ宅配便などで配達される（ステップＳ６ｎ）。これによって、利用者は再発行されたビュースイカ定期券を受け取り、これを新しいビュースイカ定期券として使用開始することができる。なお、このとき、代用証の回収は行わない（ステップＳ７ｎ）。
【０１１０】
なお、ステップＳ２ｎにおける整理番号の伝達方法や定期券情報の確認方法については、利用者への口頭伝達では誤伝達のおそれがあるので個人情報による確認を行うことが必要である。また、ステップＳ５ｎにおける代用証発行の登録については、マルスやＥＸＷによる登録などを行うことができる。
【０１１１】
以上のように、ビュースイカ定期券の紛失時においては、新しいビュースイカ定期券が再発行されるまではその補償を紙による代用証の発行によって行う。しかし、この代用証では定期券部分の補償は行わない。このようにして再発行されたビュースイカ定期券は、定期券情報を印字してＳＦ残高情報を引き継いで新カードとして発行され、利用者に渡される。また、代用証の補償機能は抹消される。
【図面の簡単な説明】
【０１１２】
【図１】本発明においてビュースイカ定期券を運用するための定期券付きクレジットカード発行システムの構成図である。
【図２】図１のシステム構成において、ビュースイカ定期券を新規発行するときの処理の流れを示すフロー図である。
【図３】図２の続きのフロー図である。
【図４】図１のシステム構成において、非活性化状態のビュースイカ定期券に定期券情報を入力して活性化するための処理の流れを示すフロー図である。
【図５】図１のシステム構成において、ビュースイカ定期券を継続発行するときの処理の流れを示すフロー図である。
【図６】図１のシステム構成において、既存のスイカ定期券から非活性状態のビュースイカ定期券へ定期券情報を移し替えて活性化処理を行うときの流れを示すフロー図である。
【図７】図１のシステム構成において、ビュースイカ定期券に入金（チャージ）を行うときの処理の流れを示すフロー図である。
【図８】図１のシステム構成において、ビュースイカ定期券がクレジット有効期限切れになってカード更新を行うときの処理の流れを示すフロー図である。
【図９】図１のシステム構成において、ビュースイカ定期券を紛失したときに、一旦スイカ定期券を発行してから新しいビュースイカ定期券が再発行されるまでの処理の流れを示すフロー図である。
【図１０】図９の続きのフロー図である。
【図１１】図１のシステム構成において、ビュースイカ定期券を紛失したときに直接新しいビュースイカ定期券が再発行されるまでの処理の流れを示すフロー図である。
【図１２】図１１の続きのフロー図である。
【図１３】図１のシステム構成において、ビュースイカ定期券の定期券払い戻しを行うときの処理の流れを示すフロー図である。
【図１４】図１のシステム構成において、ビュースイカ定期券のＳＦの払い戻しを行うときの処理の流れを示すフロー図である。
【図１５】図１のシステム構成において、ビュースイカ定期券に障害が発生してから代用証を発行するまでの処理の流れを示すフロー図である。
【図１６】図１５に続くフロー図であり、発行された代用証に基づいてスイカ定期券を発行する処理の流れを示すフロー図である。
【図１７】図１６に続くフロー図であり、新しいビュースイカ定期券を発行する処理の流れを示すフロー図である。
【図１８】本発明の定期券付きクレジットカード発行システムに適用されるビュースイカ定期券の外観図であり、（ａ）は裏面図、（ｂ）は表面図、（ｃ）は裏面の透視図である。
【図１９】図１に示すシステム構成において、利用者がスイカ定期券を所持しているときにビュースイカ定期券を新規発行する処理の流れを示すフローチャートである。
【図２０】図１に示すシステム構成において、ビュースイカ定期券を再発行するときの一変形例のフローチャートである。
【符号の説明】
【０１１３】
１      駅務機器端末
２      ＩＤ管理システム
３      ビューカードシステム
１１    カードベンダ
１２    定期券発売機
１３    ＰＯＳ端末
１４    チャージ可能機器
１５    払戻し可能機器
１６    マルス端末
１７    窓口清算機
２１    ＩＤ管理駅サーバ
２２    ＩＤ管理センタサーバ
３１    ホスト装置
３２    ＶＣＣ業務端末
４１    接触ＩＣチップ
４２    磁気ストライプ
４３    アンテナ
４４    非接触ＩＣチップ
【図１】
2005251094.tif 000003
【図２】
2005251094.tif 000004
【図３】
2005251094.tif 000005
【図４】
2005251094.tif 000006
【図５】
2005251094.tif 000007
【図６】
2005251094.tif 000008
【図７】
2005251094.tif 000009
【図８】
2005251094.tif 000010
【図９】
2005251094.tif 000011
【図１０】
2005251094.tif 000012
【図１１】
2005251094.tif 000013
【図１２】
2005251094.tif 000014
【図１３】
2005251094.tif 000015
【図１４】
2005251094.tif 000016
【図１５】
2005251094.tif 000017
【図１６】
2005251094.tif 000018
【図１７】
2005251094.tif 000019
【図１８】
2005251094.tif 000020
【図１９】
2005251094.tif 000021
【図２０】
2005251094.tif 000022